(57)【特許請求の範囲】
【請求項１】
互いに通信可能な画像表示制御装置と画像サーバとを含むウェブ・ページ表示システムにおいて，
上記画像表示制御装置が，
上記画像サーバから送信されたウェブ・ページ画像データであって，ユーザのクリック動作等に応じて直接に領域が更新するのではなく，上記画像サーバとの通信後に上記更新するラジオ・ボタン相当領域を含むウェブ・ページ画像を表すウェブ・ページ画像データによって表わされるウェブ・ページ画像を表示画面上に表示する表示装置，および
上記表示装置の表示画面上に表示されるウェブ・ページ画像に含まれるラジオ・ボタン相当領域がクリックされたと判定されたことに応じて，クリックされた内容を表すデータを上記画像サーバに送信する第１の送信手段を備え，
上記画像サーバが，
上記画像表示制御装置の上記第１の送信手段から送信されたクリック内容を表すデータにもとづいて，クリック内容に応じて上記ウェブ・ページ画像に含まれ，クリックされたラジオ・ボタン相当領域が上記更新されたウェブ・ページ画像を表す更新ウェブ・ページ画像データを生成する生成手段，および
上記生成手段によって生成された更新ウェブ・ページ画像データを上記画像表示制御装置に送信する第２の送信手段を備えた，
ウェブ・ページ表示システム。
【請求項２】
ユーザのクリック動作等に応じて直接に領域が更新するのではなく，画像サーバとの通信後に上記更新するラジオ・ボタン相当領域を含むウェブ・ページ画像を表すウェブ・ページ画像データを生成する第１の生成手段，
上記第１の生成手段によって生成されたウェブ・ページ画像データを，画像表示制御装置に送信する第１の送信手段，
上記第１の送信手段から送信されたウェブ・ページ画像データによって表される上記ウェブ・ページ画像に含まれるラジオ・ボタン相当領域が，上記画像表示制御装置においてクリックされたことに応じて，上記画像表示制御装置から送信されるクリックされた内容を表すデータを受信する受信手段，
上記受信手段によって受信したクリック内容を表すデータにもとづいて，クリック内容に応じて上記ウェブ・ページ画像に含まれ，クリックされたラジオ・ボタン相当領域が上記更新されたウェブ・ページ画像を表す更新ウェブ・ページ画像データを生成する第２の生成手段，および
上記第２の生成手段によって生成された更新ウェブ・ページ画像データを上記画像表示制御装置に送信する第２の送信手段，
を備えた画像サーバ。
【請求項３】
上記画像サーバが変換サーバとウェブ・サーバとを含み，
上記ウェブ・サーバが，上記第１の生成手段を備え，
上記変換サーバが，上記第１の送信手段，上記受信手段，上記第２の送信手段および上記第２の生成手段を備えている，
請求項２に記載の画像サーバ。
【請求項４】
ユーザのクリック動作等に応じて直接に領域が更新するのではなく，画像サーバとの通信後に上記更新するラジオ・ボタン相当領域を含むウェブ・ページ画像を表すウェブ・ページ画像データを画像表示制御装置に送信し，
送信したウェブ・ページ画像データによって表される上記ウェブ・ページ画像に含まれるラジオ・ボタン相当領域が，上記画像表示制御装置においてクリックされたことに応じて，上記画像表示制御装置から送信されるクリックされた内容を表すデータを受信し，
受信したクリック内容を表すデータにもとづいて，クリック内容に応じて上記ウェブ・ページ画像に含まれ，クリックされたラジオ・ボタン相当領域が上記更新されたウェブ・ページ画像を表す更新ウェブ・ページ画像データを生成し，
生成された更新ウェブ・ページ画像データを上記画像表示制御装置に送信する，
画像サーバの制御方法。
【請求項５】
ユーザのクリック動作等に応じて直接に領域が更新するのではなく，画像サーバとの通信後に上記更新するラジオ・ボタン相当領域を含むウェブ・ページ画像を表すウェブ・ページ画像データを画像表示制御装置に送信させ，
送信させられたウェブ・ページ画像データによって表される上記ウェブ・ページ画像に含まれるラジオ・ボタン相当領域が，上記画像表示制御装置においてクリックされたことに応じて，上記画像表示制御装置から送信されるクリックされた内容を表すデータにもとづいて，クリック内容に応じて上記ウェブ・ページ画像に含まれ，クリックされたラジオ・ボタン相当領域が上記更新されたウェブ・ページ画像を表す更新ウェブ・ページ画像データを生成させ，
生成させられた更新ウェブ・ページ画像データを上記画像表示制御装置に送信させるように画像サーバを制御するプログラム。
【請求項６】
請求項５に記載のプログラムを格納した記録媒体。
【発明の詳細な説明】
【０００１】
【技術分野】
この発明は，ウェブ・ページ表示システムならびに画像サーバ，画像サーバの制御方法および画像サーバを制御するプログラム，ならびに画像表示制御装置，画像表示制御方法および画像表示制御装置を制御するプログラムに関する。
【０００２】
【発明の背景】
コンピュータ装置の発展に伴い，パーソナル・コンピュータだけでなく携帯電話，ディジタル・カメラなど様々な装置がインターネットを介してサーバにアクセスできるようになってきている。パーソナル・コンピュータ以外の装置が画像サーバにアクセスできるようになってきたことから，種々の工夫が行われている。例えば，携帯電話に画像情報を提供する場合に，携帯電話の表示画面に合わせて画像データを編集するものがある（例えば，特許文献１参照）。
【０００３】
【特許文献１】
特開2000−188776号公報
【０００４】
ウェブ・ページにはクリッカブル・マップなど様々な機能をもつものがある。このために，ウェブ・ページに与えられた機能によっては，ウェブ・ページを表示できる装置であっても，ウェブ・ページの機能通りに動作しない装置もある。ウェブ・ページの機能を利用できないことがある。
【０００５】
【発明の開示】
この発明は，ウェブ・ページの機能を利用できるようにすることを目的とする。
【０００６】
第１の発明は，互いに通信可能な画像表示制御装置と画像サーバとを含むウェブ・ページ表示システムについてのものである。上記画像サーバから上記画像表示制御装置に，アクション領域に相当する画像領域ではあるが，アンクリッカブル領域である画像領域を含むウェブ・ページ画像を表すデータが送信される。
【０００７】
上記画像表示制御装置は，上記画像サーバから送信されたウェブ・ページ画像データによって表わされるウェブ・ページ画像を表示画面上に表示する表示装置，上記表示装置の表示画面上に表示されるウェブ・ページに含まれるアクション相当領域がクリックされたかどうかを判定する判定手段，および上記判定手段によって，アクション相当領域がクリックされたと判定されたことに応じて，クリックされた内容を表すデータを上記画像サーバに送信する第１の送信手段を備えている。
【０００８】
また，上記画像サーバは，上記画像表示制御装置の上記第１の送信手段から送信されたクリック内容を表すデータにもとづいて，クリック内容に応じて上記ウェブ・ページ画像の一部が更新されたウェブ・ページ画像を表すデータを生成する生成手段，および上記生成手段によって生成された更新ウェブ・ページ画像データを上記画像表示制御装置に送信する第２の送信手段を備えている。
【０００９】
上記画像表示制御装置と上記画像サーバとをそれぞれ単独で構成してもよい。
【００１０】
第２の発明による画像サーバは，アクション領域に相当する画像領域ではあるが，アンクリッカブル領域である画像領域を含むウェブ・ページ画像を表すデータを生成する第１の生成手段，上記第１の生成手段によって生成されたウェブ・ページ画像データを，画像表示制御装置に送信する第１の送信手段，上記第１の送信手段から送信されたウェブ・ページ画像データによって表される上記ウェブ・ページ画像に含まれるアクション相当領域が，上記画像表示制御装置においてクリックされたことに応じて，上記画像表示制御装置から送信されるクリックされた内容を表すデータを受信する受信手段，上記受信手段によって受信したクリック内容を表すデータにもとづいて，クリック内容に応じた上記ウェブ・ページ画像の更新後のウェブ・ページ画像を表すデータを生成する第２の生成手段，および第２の上記生成手段によつて生成された更新ウェブ・ページ画像データを上記画像表示制御装置に送信する第２の送信手段を備えていることを特徴とする。
【００１１】
上記第２の発明に適した制御方法も提供している。すなわち，この方法は，アクション領域に相当する画像領域を含むウェブ・ページ画像を表すデータを画像表示制御装置に送信し，送信したウェブ・ページ画像データによって表される上記ウェブ・ページ画像に含まれるアクション相当領域が，上記画像表示制御装置においてクリックされたことに応じて，上記画像表示制御装置から送信されるクリックされた内容を表すデータを受信し，受信したクリック内容を表すデータにもとづいて，クリック内容に応じて上記ウェブ・ページ画像の一部が更新されたウェブ・ページ画像を表すデータを生成し，生成された更新ウェブ・ページ画像データを上記画像表示制御装置に送信するものである。
【００１２】
また，この発明は，上記画像サーバの制御方法を実施するためのプログラムおよびそのプログラムを格納した記録媒体も提供している。
【００１３】
この発明によると，画像サーバから画像表示制御装置に，アクション領域に相当する画像領域ではあるが，アンクリッカブル領域（クリックに応じて領域が変化するサブミット・ボタン，リセット・ボタンなどのボタン領域，リンクが貼られている領域など通常の画像領域と同様にクリックされることが想定されていない領域）である画像領域を含むウェブ・ページ画像を表す画像データが送信される。
【００１４】
ウェブ・ページ画像データが画像表示制御装置において受信されると，そのウェブ・ページ画像データによって表されるウェブ・ページ画像が表示装置の表示画面上に表示される。ウェブ・ページ画像には，アクション領域（クリッカブル・マップ，ラジオ・ボタンなどユーザのクリック動作等に応じて，クリック動作等の前後においてウェブ・ページが変わる領域である。）に相当する領域（ユーザのクリック動作等に応じて直接アクション領域が変化するのではなく，画像サーバとの通信後にアクション領域が変化する領域）ではあるが，アンクリッカブル領域である画像が含まれている。ユーザによってアクション相当領域がクリックされたかどうかが判定され，クリックされたと判定されると，クリックされた内容を表すデータが画像表示制御装置から画像サーバに送信される。
【００１５】
画像サーバにおいて，クリックされた内容を表すデータが受信されると，クリック内容に応じた更新後のウェブ・ページ画像を表すデータが生成される。生成された更新ウェブ・ページ画像データが画像サーバから画像表示制御装置に送信される。
【００１６】
画像表示制御装置の表示装置の表示画面には，クリックに応じて一部が更新されたウェブ・ページの画像が表示されるようになる。画像表示制御装置が，アクション領域の動作に応じてウェブ・ページの画像を更新できないものであっても，更新されたウェブ・ページの画像を表示できるようになる。
【００１７】
更新後のウェブ・ページ画像の更新部分は，ラジオ・ボタン，チェック・ボックスのように，上記アクション領域に相当するものでもよい。
【００１８】
また，上記アクション領域はクリック可能なキーボードに相当するものものでもよい。この場合，更新後のウェブ・ページ画像の更新部分として，上記キーボードのクリックに対応した文字が表示されるものとなろう。このように，更新後のウェブ・ページ画像の更新部分は上記アクション領域と異なる領域に相当するもでもよい。
【００１９】
上記画像サーバが変換サーバとウェブ・サーバとを含むものでもよい。この場合，上記変換サーバは，上記第１の送信手段，上記受信手段および上記第２の送信手段を備え，上記ウェブ・サーバは，上記生成手段を備えるものとなろう。
【００２０】
第３の発明による画像表示制御装置は，画像サーバから送信されたウェブ・ページ画像データによって表され，かつキーボード画像領域およびテキスト・ボックス領域を含むウェブ・ページ画像を表示画面上に表示する表示装置，上記表示装置の表示画面上に表示されるウェブ・ページ画像に含まれるキーボード画像領域のうち，クリックされたキー領域に形成されているキャラクタ画像を，上記キーボード画像領域からコピーするコピー手段，ならびに上記コピー手段によってコピーされたキャラクタ画像を上記テキスト・ボックス領域にペーストするペースト手段を備えていることを特徴とする。
【００２１】
第３の発明は，上記画像表示制御装置に適した画像表示制御方法も提供している。すなわち，この方法は，画像サーバから送信されたウェブ・ページ画像データによって表され，かつキーボード画像領域およびテキスト・ボックス領域を含むウェブ・ページ画像を表示画面上に表示し，上記表示画面上に表示されるウェブ・ページ画像に含まれるキーボード画像領域のうち，クリックされたキー領域に形成されているキャラクタ画像を，上記キーボード画像領域からコピーし，コピーされたキャラクタ画像を上記テキスト・ボックス領域にペーストするものである。
【００２２】
また，この発明は，画像表示制御方法を実現するためのプログラムおよびそのプログラムを格納した記録媒体も提供している。
【００２３】
第３の発明によると，画像サーバから画像表示制御装置に，ウェブ・ページ画像データが送信される。すると，画像表示制御装置の表示装置の表示画面上にウェブ・ページ画像が表示される。ウェブ・ページ画像には，キーボード画像領域とテキスト・ボックス領域とが含まれている。キーボード画像領域のキー領域がクリックされると，そのクリックされたキー領域に形成されているキャラクタ（文字，数字など）がコピーされる。コピーされたキャラクタがテキスト・ボックス領域にペーストされる。
【００２４】
第３の発明によると，キー領域がクリックされる度に，画像表示制御装置と画像サーバとの間で通信をすることなく，クリックされたキー領域に形成されているキャラクタがテキスト・ボックス領域に表示されるようになる。
【００２５】
上記ウェブ・ページ画像は，上記キーボード画像領域を構成するキー領域がキー領域ごとに独立した複数駒の画像でもよい。
【００２６】
キー領域がそれぞれ独立しているので，キー領域上に形成されているキャラクタをコピーするためにコピーする範囲を指定する必要がなくなる。比較的簡単にキー領域上に形成されているキャラクタをコピーすることができる。
【００２７】
送信指令が与えられることにより，テキスト・ボックス領域に表示されているキャラクタを表すデータが画像表示制御装置から画像サーバに送信される送信手段をさらに設けるようにしてもよい。画像表示制御装置において入力されたキャラクタが画像サーバにおいて認識できるようになる。
【００２８】
【実施例の説明】
図１は，この発明の実施例を示すもので，ウェブ・ページ表示システムの概要を示している。
【００２９】
ウェブ・ページ表示システムには，ディジタル・カメラ１，変換サーバ（プロキシ・サーバ）２およびウェブ・サーバ４が含まれている。これらのディジタル・カメラ１，変換サーバ２およびウェブ・サーバ４は，ネットワークに接続されている。
【００３０】
CD-ROM（コンパクト・ディスク・リード・オンリ・メモリ）３には，後述するように変換サーバ２の動作プログラムが格納されている。CD-ROM３が変換サーバ２に装填され，CD-ROM３に格納されている動作プログラムが変換サーバ２にインストールされることにより，後述するように変換サーバ２が動作する。同様に，CD-ROM５にはウェブ・サーバ４の動作プログラムが格納されている。CD-ROM５がウェブ・サーバ４に装填され，CD-ROM５に格納されている動作プログラムがウェブ・サーバ４にインストールされることにより，後述するようにウェブ・サーバ４が動作する。
【００３１】
ディジタル・カメラ１，変換サーバ２およびウェブ・サーバ４には，それぞれネットワークに接続するための通信回路（図示略）が含まれている。また，変換サーバ２およびウェブ・サーバ４には，それぞれＣＰＵ，メモリ，CD-ROMドライバ，表示装置，キーボード（いずれも図示略）などが含まれている。
【００３２】
ディジタル・カメラ１には，表示装置（図示略）が含まれている。ディジタル・カメラ１は，ラジオ・ボタンなどウェブ・ページに特有の機能を実現できないことが多い。このために，ディジタル・カメラ１は，ウェブ・サーバ４と通信できたとしてもウェブ・ページに特有の機能を実現できないことがある。この実施例においては，ウェブ・ページに特有の機能を実現するものである。
【００３３】
図２および図３は，ディジタル・カメラの処理手順を示すフローチャート，図４および図５は，変換サーバの処理手順を示すフローチャート，図６は，ウェブ・サーバの処理手順を示すフローチャートである。
【００３４】
以下に述べる処理においては，ディジタル・カメラ１から変換サーバ２にウェブ・ページを取得するためのhttp（hyper-text transfer protocol）リクエストが送信される。httpリクエストは変換サーバ２からウェブ・サーバ４に送信され，ウェブ・サーバ４においてhttpリクエストに対応してhttpレスポンスが生成される。生成されたhttpレスポンスがウェブ・サーバ４から変換サーバ２に送信される。変換サーバ２において，ウェブ・サーバ２から送信されたhttpレスポンスに含まれるファイルがhtml（hyper-text markup language)ファイルからウェブ・ページを表す画像ファイルに変換される。変換された画像ファイルが変換サーバ２からディジタル・カメラ１に送信される。テキスト・データによって表されるテキストを表示できないディジタル・カメラであっても，テキストが画像として表示されるので，ウェブ・ページに含まれるテキストを見ることができる。
【００３５】
とくに，この実施例によるウェブ・ページ表示システムにおいては，ウェブ・ページにアクション領域（ラジオ・ボタン，クリッカブル・マップなどユーザからアクションが与えられることに応じてウェブ・ページが変化する領域をアクション領域ということにする。）が含まれている場合には，アクション領域がクリックされたことに応答して，更新後のウェブ・ページが変換サーバ２において生成される。生成されたウェブ・ページを表す画像データが変換サーバ２からディジタル・カメラ１に送信される。ディジタル・カメラ１の表示装置の表示画面上には，ユーザのアクションに応じて更新されたウェブ・ページが表示される。ウェブ・ページの機能を実現するための機能をもたないディジタル・カメラであっても実質的にウェブ・ページの機能に応じたウェブ・ページを表示させることができるようになる。
【００３６】
変換サーバ２のアドレスは，convert.net，ウェブ・サーバ４のアドレスは，www.○○○.comとする。
【００３７】
まず，ディジタル・カメラ１から変換サーバ２に，ウェブ・ページを取得するための第１のhttpリクエストが送信される（図２ステップ11，ディジタル・カメラ１は，ウェブ・サーバ４ではなく，変換サーバ２にアクセスするように設定されている。）。第１のhttpリクエストの内容が図７に示されている。第１のhttpリクエストには，ウェブ・ページの取得を示す指令（ＧＥＴ），取得すべきウェブ・ページのファイル（enquete.html），httpのバージョン（HTTP/1.1），取得すべきウェブ・ページのファイルが格納されているウェブ・サーバ４のアドレス（HOST:www.○○○.com）などが含まれている。
【００３８】
ディジタル・カメラ１から送信された第１のhttpリクエストが変換サーバ２において受信されると，その受信されたhttpリクエストは変換サーバ２からウェブ・サーバ４に送信される（図４ステップ31）。
【００３９】
変換サーバ２から送信された第１のhttpリクエストがウェブ・サーバ４において受信されると，その受信された第１のhttpリクエストに応じて，図16に示す第１のhttpレスポンスが生成される（図６ステップ51）。第１のhttpレスポンスには，ヘッダとボディとが含まれている。ヘッダには，第１のhttpレスポンスのバージョン（HTTP/1.1），ステータス・コード（200 ＯＫ）などが含まれている。ボディには，第１のhttpリクエストによって要求されたウェブ・ページを表わすhtmlファイル（www.○○○.com/enquete.html）が格納されている。このhtmlファイルの内容の一部（ボディ部分）が図17に示されている。
【００４０】
図17の第２行から，htmlファイル71によって表される画像の上部に「ご感想をお聞かせ下さい」という文字列が表示され，第４行から文字列「ご感想をお聞かせ下さい」の下の行に「ご感想」という文字列が表示されることが分かる。また，第５行から第７行により，「よい」，「ふつう」および「わるい」という文字列に対応してラジオ・ボタンがそれぞれ表示されることが分かる。さらに，第９行および第10行からそれぞれ，「送信」および「やり直し」という文字列が表示されるボタンが表示されることが分かる。さらに，第13行から，「戻る」という文字列が表示され，top.htmlファイルにリンクされる領域が表示されることが分かる。
【００４１】
このようにして生成された第１のhttpレスポンスがウェブ・サーバ４から変換サーバ２に送信される（図６ステップ51）。
【００４２】
ウェブ・サーバ４から送信された第１のhttpレスポンスが変換サーバ２において受信されると，変換サーバ２において，その第１のhttpレスポンスの内容が解析される（図４ステップ32）。この解析にもとづいて，第１のhttpレスポンスに格納されているhtmlファイルによって表されるウェブ・ページのレイアウトが行われ，図18に示すレイアウト画像と図19に示すレイアウト情報とが生成される（図４ステップ33）。図17に示すhtmlファイルによって表されるウェブ・ページは，上述したようにユーザによるラジオ・ボタンの入力，クリックに応答してクリック内容の送信，クリックに応答してリンク先のウェブ・ページの表示などが行われるものであるが，図18に示すレイアウト画像は，一駒の画像であり，ラジオ・ボタンの機能，ボタンの機能，リンク機能などは有していない。この実施例においては，レイアウト画像のラジオ・ボタンに相当する領域等がディジタル・カメラ１のユーザによってクリックされると，そのクリック内容を示すデータがディジタル・カメラ１から変換サーバ２に与えられる。変換サーバ２において，クリックされた後のウェブ・ページ（レイアウト画像）を表す画像ファイルが格納されたhttpレスポンスが生成され，生成されたhttpレスポンスがディジタル・カメラ１に送信される。ディジタル・カメラ１の表示画面上には，クリックに応じて更新されたウェブ・ページが表示される。
【００４３】
図18に示すレイアウト画像73は，その上部に「ご感想をお聞かせ下さい」という文字列が表示されており，この文字列「ご感想をお聞かせ下さい」の下に，「ご感想」の文字列が表示されている。これらの文字列は，上述したように，テキスト・データによって表されるテキストではなく，文字が画像化されているものである。
【００４４】
また，「ご感想」の文字列の右側には，第１のラジオ・ボタン，第２のラジオ・ボタンおよび第３のラジオ・ボタンに相当する領域63，64および65が表示されている。これらのラジオ・ボタンに相当する領域63，64および65は，実際には，ラジオ・ボタンの機能は持っていないが，これらの領域63，64または65がクリックされると，上述したように，クリックされたことを示すマークが表示された画像が変換サーバ２において生成される。領域63，64および65に対応して，「よい」，「ふつう」および「わるい」の文字列が表示されている。
【００４５】
さらに，「送信」の文字が表示されたボタンに相当する領域66および「やり直し」の文字が表示されたボタンに相当する領域67ならびに「戻る」の文字が表示されたリンクに相当する領域68が表示されている。
【００４６】
図18に示すレイアウト画像73は，上述した図17に示すhtmlファイル71から生成できることは理解されよう。
【００４７】
図19に示すレイアウト情報72を参照して，第１行から第３行は，ウェブ・ページのベースとなる基本画像を示すものである。この基本画像は，幅320画素，高さ240画素をもつもので，あらかじめ定められている。第５行から第６行，第７行から第８行，および第９行から第10行（図17に示すhtmlファイル71の第５行，第６行および第７行から生成される）は，図18に示すレイアウト画像73のラジオ・ボタン相当領域63，64および65がそれぞれラジオ・ボタンに相当する領域であることを示している。したがって，ラジオ・ボタン相当領域63，64および65上がクリックされたことに応じてクリック後のラジオ・ボタンを表す画像が生成されることとなる。
【００４８】
レイアウト情報72の第11行から第12行および第13行から第14行（図17に示すhtmlファイルの第９行および第10行から生成される）は，それぞれ図18に示すレイアウト画像73のボタン相当領域66および67がボタンに対応する領域であることを示している。また，レイアウト情報72の第15行（図17に示すhtmlファイルの第13行から生成される）は，図18に示すレイアウト画像73のリンク相当領域68がリンク領域であることを示している。
【００４９】
図４に戻って，変換サーバ２においてレイアウト画像73とレイアウト情報72とが生成されると，変換サーバ２のメモリ内に入力項目の変数領域が確保され，初期化される（ステップ34）。
【００５０】
図20は，変数領域の一部を示している。この変数領域（comment）は，上述したレイアウト画像73に含まれるラジオ・ボタン相当領域63，64および65のチェック結果を記憶するものである。領域63がチェックされると，変数領域（comment）には，GOODが記憶される。他の領域64または65がチェックされた場合には，それぞれの領域64または65に対応したコメントが記憶される。
【００５１】
変換サーバ２において，レイアウト画像73およびレイアウト情報72が生成されると，ボディにレイアウト情報72が格納された第２のhttpレスポンス（図21参照）が変換サーバ２からディジタル・カメラ１に送信される（図４ステップ35）。図21に示すように，第２のhttpレスポンスにもヘッダに，バージョン情報（HTTP/1.1），ステータス・コード（200 ＯＫ）などが含まれている。
【００５２】
変換サーバ２から送信された第２のhttpレスポンスがディジタル・カメラ１において受信されると，その内容が解析される（図２ステップ12）。内容の解析結果にしたがって，第２のhttpリクエスト（図８参照）がディジタル・カメラ１から変換サーバ２に送信される（図２ステップ13）。第２のhttpリクエストにも第１のhttpリクエストと同様に，ウェブ・ページの取得を示す指令（ＧＥＴ），取得すべきウェブ・ページが画像化された画像を表わすファイル（www.○○○.com/enquete.html/enquete.jpg），httpのバージョン（HTTP/1.1），取得すべきウェブ・ページのファイルが格納されているサーバのアドレス（HOST:www.convert.net）などが含まれている。
【００５３】
第２のhttpリクエストが変換サーバ２において受信されると，変換サーバ２において，第２のhttpリクエストに応答して第３のhttpレスポンス（図22参照）が生成される。この第３のhttpレスポンスのボディには，図22に示すように，レイアウト画像73を表す画像ファイルが格納されている。生成された第３のhttpレスポンスが変換サーバ２からディジタル・カメラ１に送信される（図４ステップ36）。
【００５４】
変換サーバ２から送信された第３のhttpレスポンスがディジタル・カメラ１において受信されると，その第３のhttpレスポンスのボディに格納されている画像ファイルによって表される画像化されたウェブ・ページ（図18のレイアウト画像73）がディジタル・カメラ１の表示画面上に表示される。
【００５５】
ディジタル・カメラ１の表示画面上に表示されたレイアウト画像73のうち，ラジオ・ボタン相当領域63上がクリックされると（図２のステップ15），図12に示す第３のhttpリクエストが生成される。第３のhttpリクエストには，ウェブ・ページの取得を示す指令（ＧＥＴ），取得すべきのファイル（www.○○○.com/enquete.html/input#radio#1/cgi，第１のラジオ・ボタン相当領域63がクリックされたことを示す。第１のラジオ・ボタン相当領域63がクリックされたことは，レイアウト情報にもとづいて判定される。），httpのバージョン（HTTP/1.1），取得すべきウェブ・ページのファイルが格納されているサーバのアドレス（HOST:www.convert.net）などが含まれている。生成された第３のhttpリクエストがディジタル・カメラ１から変換サーバ２に送信される（図２ステップ16）。
【００５６】
ディジタル・カメラ１から送信された第３のhttpリクエストが変換サーバ２において受信されると，変換サーバ２において，ウェブ・ページのレイアウト更新が行われ，レイアウト画像の更新およびレイアウト情報の更新が行われる（図４ステップ37）。
【００５７】
図９は更新後のレイアウト情報61を示し，図10は更新後のレイアウト画像62を示している。
【００５８】
図９に示す更新後のレイアウト情報（/www.○○○.com/enquete.html/enquete#modifieｄ．html）の内容は，ウェブ・ページの機能は変化しないから，図19に示す更新前のレイアウト情報（/www.○○○.com/enquete.html/enquete.html）の内容と同じとなる。ファイル名が変わる。
【００５９】
図10に示す更新後のレイアウト画像62は，ディジタル・カメラ１のユーザによる第１のラジオ・ボタン相当領域63のクリックに応答して，第１のラジオ・ボタン相当領域63に黒丸が付されている。
【００６０】
つづいて，変換サーバ２の入力項目の変数領域が更新される（図５ステップ38）。図11に示すように，変数領域（comment）に，クリックされた第１のラジオ・ボタン相当領域63に対応してGOODと記憶される。
【００６１】
変換サーバ２において，図23に示す第４のhttpレスポンスが生成される。生成された第４のhttpレスポンスが変換サーバ２からディジタル・カメラ１に送信される（図５ステップ39）。第４のhttpレスポンスには，図23に示すように，そのボディに更新されたレイアウト情報（図９参照）61が格納されている。
【００６２】
変換サーバ２から送信された第４のhttpレスポンスがディジタル・カメラ１において受信されると，その内容が解析される（図２ステップ17）。この解析に応答して，図13に示す第４のhttpリクエストが生成される。この第４のhttpリクエストは，更新後のレイアウト画像の送信を要求するもので，要求すべきレイアウト画像のファイル名（/www.○○○.com/enquete.html/enquete#modified.jpg）が格納されている。生成された第４のhttpリクエストがディジタル・カメラ１から変換サーバ２に送信される（図３ステップ18）。
【００６３】
ディジタル・カメラ１から送信された第４のhttpリクエストが変換サーバ２において受信されると，変換サーバ２において図24に示す第５のhttpレスポンスが生成される。この第５のhttpレスポンスのボディには，上述した図10に示す更新後のレイアウト画像62を表す画像ファイル（/www.○○○.com/enquete.html/enquete#modified.jpg）が格納されている。
【００６４】
変換サーバ２から送信された第５のhttpレスポンスがディジタル・カメラ１において受信されることにより，ディジタル・カメラ１の表示画面に更新後のレイアウト画像（第１のラジオ・ボタン相当領域63に黒丸が付されたもの）62が表示される（図３ステップ19）。ディジタル・カメラ１のユーザは，クリックしたことを確認できるようになる。
【００６５】
ディジタル・カメラ１のユーザによってレイアウト画像62のクリッカブル・マップ相当領域66がクリックされると（図３ステップ20でＹＥＳ），図14に示す第５のhttpリクエストがディジタル・カメラ１から変換サーバ２に送信される（図３ステップ21）。図14に示す第５のhttpリクエストには，クリッカブル・マップ相当領域に対応する機能の指定を示すデータ（/www.○○○.com/enquete.html/input#submit#1.cgi）が格納されている。レイアウト画像62のその他の領域がクリックされると（図３ステップ20でＮＯ），クリックされた領域に対応した処理が行われる。
【００６６】
ディジタル・カメラ１から送信された第５のhttpリクエストが変換サーバ２において受信されると，その第５のhttpリクエストに応答して図15に示す第６のhttpリクエストが生成される。第６のhttpリクエストは，ディジタル・カメラ１のユーザによって行われた操作（第１のラジオ・ボタン相当領域63のクリック）をウェブ・サーバ４に報知するためのものである。図15に示す第６のhttpリクエストには，ディジタル・カメラ１のユーザによって操作された内容が格納されている（comment=GOODなど）。変換サーバ２において生成された第６のhttpリクエストがウェブ・サーバ４に送信される（図５ステップ42）。
【００６７】
変換サーバ２から送信された第６のhttpリクエストがウェブ・サーバ４において受信されると，その第６のhttpリクエストの内容がウェブ・サーバ４のメモリに記憶される。たとえば，第６のhttpリクエストの内容から把握されるアンケート結果がウェブ・サーバ４に蓄積される。また，ウェブ・サーバ４において，第６のhttpリクエストに応じて，第６のhttpリクエストを取得したことを示す第６のhttpレスポンス（図示略）が生成される。生成された第６のhttpレスポンスがウェブ・サーバ４から変換サーバ２に送信される（図６ステップ52）。
【００６８】
ウェブ・サーバ４から送信された第６のhttpレスポンスが変換サーバ２において受信されると，変換サーバ２において第６のhttpレスポンスの内容が解析される（図５ステップ43）。第６のhttpレスポンスの解析の結果，第６のhttpリクエストがウェブ・サーバ４において受信されたことが確認されると，ウェブ・サーバ４において，ディジタル・カメラ１のユーザの操作を示すデータを受信したことを示す終了のレイアウト画像（たとえば，「アンケートのご協力ありがとうございました」などの文字列が画像化されたレイアウト画像およびそのレイアウト情報が生成される（図５ステップ44）。生成されたレイアウト画像，レイアウト情報等が格納された第７のhttpレスポンス（図示略）が変換サーバ２において生成され，生成された第７のhttpレスポンスがディジタル・カメラ１に送信される。
【００６９】
ディジタル・カメラ１の表示画面上には，終了のレイアウト画像が表示されることとなる。ディジタル・カメラ１のユーザは，表示画面上に表示された終了のレイアウト画像を見ることにより，自己の操作を示すデータがウェブ・サーバ４に送信されたことを確認できる。
【００７０】
ラジオ・ボタンの機能を実現できないディジタル・カメラ１においても，実質的にラジオ・ボタンの機能を実現させることができるようになる。
【００７１】
図25から図31は，変形例を示している。
【００７２】
上述の実施例においては，ラジオ・ボタンのクリックに応じて，ディジタル・カメラ１の表示画面上に表示されるウェブ・ページを更新するものであるが，この変形例は，ディジタル・カメラ１の表示画面上にキーボードを表示させ，キーボードを構成する各キーがクリックされたことに応答して対応する文字列を入力し，表示するものである。
【００７３】
上述したのと同様に，変換サーバ２のメモリには，図25に示す入力項目の変数領域が確保される。入力項目の変数には，名前（NAME）とコメント（comment）とが含まれている。コメントには，上述したようにユーザによるクリックに応答して変数GOODが記憶されている。
【００７４】
また，上述したのと同様に，ディジタル・カメラ１から変換サーバ２を介してウェブ・サーバ４に送信されるhttpリクエストに応答して，図27に相当するウェブ・ページを表示するためのhtmlファイルがウェブ・サーバ４から変換サーバ２に送信される。変換サーバ２において，htmlファイルから図26に示すレイアウト情報74および図27に示すレイアウト画像80が生成される。
【００７５】
図27に示すレイアウト画像80は，図10および図18に示すレイアウト画像62および73と同様に一駒の画像であり，ボタンなどウェブ・ページの機能を実際にもつものではなく，上述したように擬似的にウェブ・ページの機能をもつものである。
【００７６】
レイアウト画像80には名前表示領域81，感想（よい）表示領域82，感想（ふつう）表示領域83，感想（わるい）表示領域84，送信ボタン表示領域85，やり直しボタン表示領域86および戻るボタン表示領域87が含まれている。
【００７７】
レイアウト画像80には，さらに，クリッカブル・キーボード88が含まれている。このクリッカブル・キーボード88には，多数のキー画像89が含まれている。このクリッカブル・キーボード88は，擬似的なクリッカブル・マップであり，上述した実施例と同様に，キーボード88のいずれかのキー画像89がクリックされることにより，クリック後のウェブ・ページを表すレイアウト画像が変換サーバ２において生成される。生成されたレイアウト画像を表すhttpレスポンスがディジタル・カメラ１に送信されることにより，クリック後のウェブ・ページのレイアウト画像がディジタル・カメラ１の表示画面上に表示される。
【００７８】
図26に示すレイアウト情報74は，図27に示すレイアウト画像80の機能を示すものである。上述した図９に示すレイアウト情報61と同様に，第２行から第４行は，図27に示すレイアウト画像80のベース画像を示している。第６行から第７行は，キーボード88の左上隅のキー画像89がクリッカブル・マップに相当することを示している。同様に，第８行から第９行，第10行から第11行，第12行から第13行，第14行から第15行および第16行から第17行は，それぞれキーボード88の第１行目の第２番目，第３番目，第４番目，第５番目，第６番目および第７番目のキー画像89がクリッカブル・マップに相当していることを示している。
【００７９】
上述した実施例と同様に，変換サーバ２において図26に示すレイアウト情報74および図27に示すレイアウト画像80を表すhttpレスポンスが生成される。生成されたhttpレスポンスが変換サーバ２からディジタル・カメラ１に送信されることにより，ディジタル・カメラ１の表示画面上に図27に示すレイアウト画像80が表示されることとなる。
【００８０】
図27に示すレイアウト画像80が表示されているときに，キーボード88の中の「ｔ」のキー画像89上がユーザによってクリックされると，「ｔ」がクリックされたことを示すhttpリクエストがディジタル・カメラ１から変換サーバ２に送信される。すると，変換サーバ２において，レイアウト処理が再び行われ，レイアウト情報およびレイアウト画像がそれぞれ更新される。更新されたレイアウト情報およびレイアウト画像をそれぞれ表すファイルが格納されたhttpレスポンスが変換サーバ２において生成される。生成されたhttpレスポンスが変換サーバ２からディジタル・カメラ１に送信される。また，変換サーバ２の入力項目の変数領域が図28に示すように更新され，ユーザによって入力された文字が記憶される（NAME="t"）。
【００８１】
変換サーバ２から送信されたhttpレスポンスがディジタル・カメラ１において受信されると，ディジタル・カメラ１の表示画面には，図29に示すように，更新後のレイアウト画像80Ａが表示されるようになる。更新後のレイアウト画像80Ａには，名前表示領域81にユーザによって入力された「ｔ」の文字が表示されている。ユーザは，ディジタル・カメラ１にクリッカブル・マップを用いた文字の入力機能が無い場合であっても文字の入力ができ，その確認ができるようになる。
【００８２】
例えば，「tanaka」という文字列が入力された場合には，変換サーバ２の入力項目の変数領域には，図30に示すように，その入力された文字列が記憶されることとなる（NAME=tanaka）。
【００８３】
ディジタル・カメラ１の操作が終了し，送信ボタン85がクリックされると，ディジタル・カメラ１に入力された文字列の内容を表すデータ（name=tanaka&comment=GOODなど）が格納されているhttpリクエスト（図31）が変換サーバ２からウェブ・サーバ４に送信される。ウェブ・サーバ４はディジタル・カメラ１において入力された文字列を確認することができる。
【００８４】
図32から図37は，さらに他の変形例を示すものである。
【００８５】
この変形例においては，ディジタル・カメラの表示画面上に擬似的なクリッカブル・キーボード（キーボード画像）が表示される。クリッカブル・キーボードを構成するキー画像（キー領域）がクリックされることにより，そのクリックされたキー画像に表されているキャラクタ画像がコピーされ，コピーされたキャラクタ画像がテキスト入力ボックスに相当する領域にペーストされるものである。
【００８６】
図32は，レイアウト画像の一例である。
【００８７】
上述したように，変換サーバ２から送信されたhttpレスポンスがディジタル・カメラ１において受信されたことによりディジタル・カメラ１の表示画面上にレイアウト画像80Ａが表示される。レイアウト画像80Ａは，上述したように，全体で一駒の画像である。図32に示したレイアウト画像の構成は，図27に示したレイアウト画像80の構成（同じ構成でもよいのはいうまでもない）と異なるが，図27に示したレイアウト画像80の機能と同じ機能については同一符号を付して説明を省略する。クリッカブル・キーボード88を構成する各キー領域89には，文字，数字などのキャラクタが形成されている。
【００８８】
図33は，図32に示すレイアウト画像80Ａのレイアウト情報の内容を示している。
【００８９】
レイアウト情報の第２行および第３行は，レイアウト画像80Ａのベースとなる基本画像を示している。上述したレイアウト画像80と同様に幅320画素，高さ240画素のものが利用されている。第４行は，基本画像の名前を示している。
【００９０】
第５行は，名前表示領域81がテキスト入力ボックスに相当する領域であることを示している。第６行から第８行は，領域82，83および84がラジオ・ボタンに相当する領域であることを示している。第９行は，領域85がサブミット・ボタンに相当する領域であることを示している。第10行は，領域86がリセット・ボタンに相当する領域であることを示している。
【００９１】
第11行から第ｎ行までは，クリッカブル・キーボード88を構成する各キー領域89の範囲および各キー領域89に形成されているキャラクタの内容を示している。第ｍ行は，領域87がバック・ボタンに相当する領域であることを示している。
【００９２】
レイアウト画像80Ａがクリックされた場合に，そのクリックされた位置を検出し，かつ情報ファイルを参照することにより，どの機能に相当する領域がクリックされたかが分かる。
【００９３】
図34は，ディジタル・カメラ１のユーザによって，クリッカブル・キーボード88のクリック後のレイアウト画像の一例である。
【００９４】
上述したように，この変形例においては，クリッカブル・キーボード88を構成するキー領域89上がクリックされると，そのクリックされたキー領域89に形成されているキャラクタ画像がコピーされ，コピーされたキャラクタ画像が名前表示領域81上にペーストされる。
【００９５】
たとえば，クリッカブル・キーボード88のうち，キャラクタ「ｔ」，「ａ」，「ｎ」，「ａ」，「ｋ」および「ａ」が形成されているキー領域89が順にクリックされることにより，名前表示領域81上には，図34に示すように，「ｔａｎａｋａ」の文字が画像として表示されるようになる。
【００９６】
図35は，ディジタル・カメラ１の処理手順の一部を示すフローチャートである。
【００９７】
上述したように，変換サーバ２から送信されたhttpレスポンスがディジタル・カメラ１において受信されると，ディジタル・カメラ１の表示画面上に図32に示すレイアウト画像80Ａが表示される（ステップ91）。
【００９８】
ディジタル・カメラ１のユーザによって，レイアウト画像80Ａに含まれるクリッカブル・キーボード88がクリックされると（ステップ92），クリッカブル・キーボード88を構成する多数のキー領域89のうち，どのキー領域89がクリックされたかが検出される（ステップ93）。レイアウト画像80Ａの機能等を表すレイアウト情報（図33参照）にもとづいて，どのキー領域89がクリックされたかを検出することができる。
【００９９】
クリックされたキー領域89が検出されると，その検出されたキー領域89の範囲が指定されて，その範囲内に形成されているキャラクタがコピーされる（ステップ94）。コピーされたキャラクタが名前表示領域（テキスト・ボックス）81にペーストされる（ステップ95）。送信ボタン表示領域85上がクリックされるまで（ステップ96），キー領域89のクリックに応じて，クリックされたキー領域89に形成されているキャラクタがコピーされ，名前表示領域81上にペーストする処理が繰り返される。ユーザがクリックするごとにディジタル・カメラ１と変換サーバ２との間で通信を行うことなく，ユーザによってクリックされたキー領域89に形成されているキャラクタを名前表示領域81に表示させることができるようになる。
【０１００】
たとえば，上述したように，ディジタル・カメラ１のユーザによってクリッカブル・キーボード88の中のキー領域89のうち，キャラクタ「ｔ」，「ａ」，「ｎ」，「ａ」，「ｋ」および「ａ」が順にクリックされることにより，図34に示すように，「ｔａｎａｋａ」の文字が画像として名前表示領域81上に現れる。
【０１０１】
入力すべきキャラクタに対応するキー領域89がすべてクリックされると，ユーザによって送信ボタン表示領域85がクリックされる（ステップ96でＹＥＳ）。すると，名前表示領域81に表示されているキャラクタを表すデータがディジタル・カメラ１から変換サーバ２に送信される（ステップ97）。キャラクタ・データが変換サーバ２からウェブ・サーバ４に送信されることにより，ディジタル・カメラ１において入力されたキャラクタの内容がウェブ・サーバ４において認識される。
【０１０２】
上述した実施例においては，クリッカブル・キーボード88は，一駒の画像（レイアウト画像80Ａが一駒の画像）であったが，クリッカブル・キーボード88を構成する多数のキー領域89のそれぞれが独立した駒の画像であってもよい。
【０１０３】
図36（Ａ），（Ｂ）および（Ｃ）は，レイアウト画像を構成するそれぞれの画像を示している。
【０１０４】
（Ａ）は，レイアウト画像のうち，上部の部分であるアンケート画像100Ａを示している。アンケート画像100Ａは，一駒の画像である。アンケート画像100Ａ中に，上述した名前表示領域81，ラジオ・ボタン82，83および84，送信ボタン表示領域85ならびにやり直し表示領域86が含まれている。
【０１０５】
（Ｂ）は，レイアウト画像のうち，中央の部分であるクリッカブル・キーボード88に相当する集合画像100Ｂを示している。集合画像100Ｂは，アンケート画像100Ａと異なり，それぞれが別個独立の多数のキー画像の集まりである（quatejpg，1jpg,2jpgなど）。クリッカブル・キーボード88を構成するキー領域89の数に対応する駒数のキー画像から集合画像100Ｂが構成されている。
【０１０６】
（Ｃ）は，レイアウト画像のうち，下部の部分であるバック画像100Ｃを示している。バック画像100Ｃもアンケート画像100Ａと同様に，一駒の画像である。バック画像100Ｃには，戻る表示領域87が含まれている。
【０１０７】
図37は，図36（Ａ），（Ｂ）および（Ｃ）から構成されるレイアウト画像のレイアウト情報の内容を示している。
【０１０８】
クリッカブル・キーボード88を構成する多数のキー領域89のそれぞれが独立した駒の画像である場合，上述したように，キー領域のキャラクタをコピーする場合に，そのコピーする範囲を指定する必要が無くなる。このために，コピー処理が比較的簡単になる。
【０１０９】
レイアウト情報において，第２行目から第３行目は，幅320画素高さ120画素の大きさをもつ第１のベース画像（レイアウト画像80Ａの上半分の画像）を示し，第４行目は，第１のベース画像の名前を示している。
【０１１０】
第５行目は，レイアウト画像80の名前表示領域81がテキスト・ボックスに相当する領域であることを示している。第６行目から第８行目は，領域82，83および84がラジオ・ボタンに相当する領域であることを示している。第９行目および第10行目は，それぞれ送信ボタン表示領域85がサブミット・ボタンに相当する領域であることおよびやり直しボタン表示領域86がリセット・ボタンに相当する領域であることを示している。
【０１１１】
第12行目以降は，クリッカブル・キーボード88を構成する各キー領域89がそれぞれ独立した画像であることを示している。また，それぞれのキー領域89の座標位置も示されている。クリックされた位置のキー領域89に形成されているキャラクタの内容が分かる。
【０１１２】
第ｍ行および第ｍ＋１行は，バック画像100Ｃのベースとなる画像を示し，その大きさが幅320画素，高さ60画素であることを示している。図ｍ＋２行は，バック画像の名前を示している。
【０１１３】
第ｍ＋３行は，バック画像100Ｃ中において，領域87がバック・ボタンに相当する領域であることを示している。
【０１１４】
このように，クリッカブル・キーボード88を構成する各キー画像89がそれぞれ独立していると，上述したように，キー画像89上に形成されているキャラクタをコピーする場合に，その範囲を指定する必要が無くなる。比較的簡単にキャラクタのコピーおよびコピーされたキャラクタ画像のアンケート画像100Ａへのペーストを行うことができるようになる。キャラクタ画像がアンケート画像100Ａにペーストされることにより，図34に示すように，ユーザによるクリックに応じて名前表示領域81にクリックしたキー領域89に形成されているキャラクタが表示されるようになる。
【図面の簡単な説明】
【図１】ウェブ・ページ表示システムの概要を示している。
【図２】ディジタル・カメラの処理手順の一部を示すフローチャートである。
【図３】ディジタル・カメラの処理手順の一部を示すフローチャートである。
【図４】変換サーバの処理手順の一部を示すフローチャートである。
【図５】変換サーバの処理手順の一部を示すフローチャートである。
【図６】ウェブ・サーバの処理手順を示すフローチャートである。
【図７】  httpリクエストの一例である。
【図８】  httpリクエストの一例である。
【図９】レイアウト情報の一例である。
【図１０】レイアウト画像の一例である。
【図１１】入力項目の変数領域に記憶されている内容の一例である。
【図１２】  httpリクエストの一例である。
【図１３】  httpリクエストの一例である。
【図１４】  httpリクエストの一例である。
【図１５】  httpリクエストの一例である。
【図１６】  httpレスポンスの一例である。
【図１７】  htmlファイルの一例である。
【図１８】レイアウト画像の一例である。
【図１９】レイアウト情報の一例である。
【図２０】入力項目の変数領域に記憶されている内容の一例である。
【図２１】  httpレスポンスの一例である。
【図２２】  httpレスポンスの一例である。
【図２３】  httpレスポンスの一例である。
【図２４】  httpレスポンスの一例である。
【図２５】入力項目の変数領域に記憶されている内容の一例である。
【図２６】レイアウト情報の一例である。
【図２７】レイアウト画像の一例である。
【図２８】入力項目の変数領域に記憶されている内容の一例である。
【図２９】レイアウト画像の一例である。
【図３０】入力項目の変数領域に記憶されている内容の一例である。
【図３１】  httpリクエストの一例である。
【図３２】レイアウト画像の一例である。
【図３３】レイアウト情報の一例である。
【図３４】レイアウト画像の一例である。
【図３５】ディジタル・カメラの処理手順の一部を示すフローチャートである。
【図３６】（Ａ），（Ｂ）および（Ｃ）は，レイアウト画像を構成する画像の一例である。
【図３７】レイアウト情報の一例である。
【符号の説明】
１  ディジタル・カメラ
２  変換サーバ
３，５  ＣＤ−ＲＯＭ
４  ウェブ・サーバ
63，64，65  ラジオ・ボタン相当領域
88  キーボード
【図１】
0004266324.tif 000002
【図２】
0004266324.tif 000003
【図３】
0004266324.tif 000004
【図４】
0004266324.tif 000005
【図５】
0004266324.tif 000006
【図６】
0004266324.tif 000007
【図７】
0004266324.tif 000008
【図８】
0004266324.tif 000009
【図９】
0004266324.tif 000010
【図１０】
0004266324.tif 000011
【図１１】
0004266324.tif 000012
【図１２】
0004266324.tif 000013
【図１３】
0004266324.tif 000014
【図１４】
0004266324.tif 000015
【図１５】
0004266324.tif 000016
【図１６】
0004266324.tif 000017
【図１７】
0004266324.tif 000018
【図１８】
0004266324.tif 000019
【図１９】
0004266324.tif 000020
【図２０】
0004266324.tif 000021
【図２１】
0004266324.tif 000022
【図２２】
0004266324.tif 000023
【図２３】
0004266324.tif 000024
【図２４】
0004266324.tif 000025
【図２５】
0004266324.tif 000026
【図２６】
0004266324.tif 000027
【図２７】
0004266324.tif 000028
【図２８】
0004266324.tif 000029
【図２９】
0004266324.tif 000030
【図３０】
0004266324.tif 000031
【図３１】
0004266324.tif 000032
【図３２】
0004266324.tif 000033
【図３３】
0004266324.tif 000034
【図３４】
0004266324.tif 000035
【図３５】
0004266324.tif 000036
【図３６】
0004266324.tif 000037
【図３７】
0004266324.tif 000038